(57)【要約】カートリッジメモリは、磁気テープカートリッジに用いられるカートリッジメモリであって、アンテナ部と、データを記憶する記憶部と、記録再生装置の要求に応じて、記憶部からデータを読み出し、誤り訂正符号を付加してアンテナを介して送信する制御部とを備えるカートリッジメモリである。【選択図】図４
2020085328.tif 000002
【特許請求の範囲】
【請求項１】
磁気テープカートリッジに用いられるカートリッジメモリであって、
アンテナ部と、
データを記憶する記憶部と、
記録再生装置の要求に応じて、前記記憶部から前記データを読み出し、誤り訂正符号を付加して前記アンテナ部を介して送信する制御部と
を備えるカートリッジメモリ。
【請求項２】
前記制御部は、
前記記録再生装置のモータが駆動されている場合には、前記データに前記誤り訂正符号を付加して前記アンテナ部を介して送信し、
前記記録再生装置のモータが駆動されていない場合には、前記データに前記誤り訂正符号を付加せずに前記アンテナ部を介して送信する請求項１に記載のカートリッジメモリ。
【請求項３】
前記制御部は、
第１の通信速度で前記データを送信する第１の通信モードと、
前記第１の通信速度よりも速い第２の通信速度で前記データを送信する第２の通信モードと
を有し、
前記第１の通信モードでは、前記データに前記誤り訂正符号を付加せずに送信し、
前記第２の通信モードでは、前記データに前記誤り訂正符号を付加して送信する請求項１に記載のカートリッジメモリ。
【請求項４】
前記アンテナ部を介して受信したデータのノイズを低減するフィルタをさらに備える請求項１に記載のカートリッジメモリ。
【請求項５】
前記記憶部は、同一の前記データを複数記憶している請求項１に記載のカートリッジメモリ。
【請求項６】
前記記憶部は、前記データと共に前記誤り訂正符号をさらに記憶し、
前記制御部は、前記記憶部から前記データおよび前記誤り訂正符号を読み出し、読み出した前記データに対して、読み出した前記誤り訂正符号を付加して前記アンテナ部を介して送信する請求項１に記載のカートリッジメモリ。
【請求項７】
請求項１に記載された前記カートリッジメモリを備える磁気テープカートリッジ。
【請求項８】
請求項１に記載された前記カートリッジメモリを備える磁気テープカートリッジと、
前記磁気テープカートリッジの記録再生を行う記録再生装置と
を備える記録再生システム。
【請求項９】
前記記録再生装置は、ドライブ、オートローダまたはライブラリ装置である請求項８に記載の記録再生システム。
【請求項１０】
前記記録再生装置は、
リーダライタと、
データに誤り訂正符号を付加して前記カートリッジメモリに前記リーダライタを介して送信する制御部と
を備える請求項８に記載の記録再生システム。
【請求項１１】
磁気テープカートリッジに用いられるカートリッジメモリの制御方法であって、
記録再生装置の要求に応じて、記憶部からデータを読み出し、誤り訂正符号を付加してアンテナ部を介して送信すること
を含むカートリッジメモリの制御方法。
【請求項１２】
記録媒体カートリッジに用いられるカートリッジメモリであって、
アンテナ部と、
データを記憶する記憶部と、
記録再生装置の要求に応じて、前記記憶部から前記データを読み出し、誤り訂正符号を付加して前記アンテナ部を介して送信する制御部と
を備えるカートリッジメモリ。
【発明の詳細な説明】
【技術分野】
【０００１】
本開示は、カートリッジメモリおよびその制御方法、カートリッジならびに記録再生システムに関する。
【背景技術】
【０００２】
電子データの保存のために、磁気記録媒体が広く利用されている。特にデータ単位容量あたりのコストが安い磁気テープは再注目されており、クラウドストレージサービスで用いられる記録媒体として、ＨＤＤ（Hard Disk Drive）と共にデータセンター等で活用されている。【０００３】
磁気テープはLinier Tape Open（ＬＴＯ）Ultrium規格の磁気テープが広く普及している。LTO Ultium規格のテープカートリッジには、カートリッジメモリ（Cartridge Memory：ＣＭ）と呼ばれるＲＦ無線通信を用いた非接触型の不揮発性メモリが内臓されている（例えば特許文献１参照）。カートリッジメモリには、例えば、製造情報、ドライブ使用履歴、ベンダー固有の管理情報等のデータが書き込まれる。カートリッジがドライブにロードされた後、ドライブがカートリッジメモリから上記のデータを読み取ることで、カートリッジの使用状況等を調べることが可能となっている。
【先行技術文献】
【特許文献】
【０００４】
【特許文献１】特開２００３−１０９３５３号公報
【発明の概要】
【発明が解決しようとする課題】
【０００５】
近年、磁気テープの記録密度の向上に伴い、保存するトラック情報内容が増加し、カートリッジメモリの容量も増加する傾向にある。このため、カートリッジメモリとドライブの間でやり取りされるデータ量も増加する傾向にあり、データの転送速度を高速化し、データの転送時間を短縮化することが望まれている。しかし、データの転送速度を単純に高速化すると、Ｓ／Ｎ（Signal-Noise Ratio）が悪化し、重要なカートリッジメモリのデータの健全性が低下する虞がある。このため、ノイズ耐性を向上し、データの健全性の低下を抑制することが望まれている。【０００６】
本開示の目的は、ノイズ耐性を向上することができるカートリッジメモリおよびその制御方法、カートリッジならびに記録再生システムを提供することにある。
【課題を解決するための手段】
【０００７】
上述の課題を解決するために、第１の開示は、磁気テープカートリッジに用いられるカートリッジメモリであって、アンテナ部と、データを記憶する記憶部と、記録再生装置の要求に応じて、記憶部からデータを読み出し、誤り訂正符号を付加してアンテナを介して送信する制御部とを備えるカートリッジメモリである。【０００８】
第２の開示は、第１の開示のカートリッジメモリを備える磁気テープカートリッジである。【０００９】
第３の開示は、第１の開示のカートリッジメモリを備える磁気テープカートリッジと、磁気テープカートリッジの記録再生を行う記録再生装置とを備える記録再生システムである。【００１０】
第４の開示は、磁気テープカートリッジに用いられるカートリッジメモリの制御方法であって、記録再生装置の要求に応じて、記憶部からデータを読み出し、誤り訂正符号を付加してアンテナ部を介して送信することを含むカートリッジメモリの制御方法である。【００１１】
第５の開示は、記録媒体カートリッジに用いられるカートリッジメモリであって、アンテナ部と、データを記憶する記憶部と、記録再生装置の要求に応じて、記憶部からデータを読み出し、誤り訂正符号を付加してアンテナを介して送信する制御部とを備えるカートリッジメモリである。
【図面の簡単な説明】
【００１２】
【図１】本開示の第１の実施形態に係る記録再生システムの構成の一例を示す概略図である。
【図２】カートリッジの構成の一例を示す分解斜視図である。
【図３】磁気テープの構成の一例を示す断面図である。
【図４】カートリッジメモリの構成の一例を示すブロック図である。
【図５】本開示の第１の実施形態に係る記録再生システムのモード切替動作の一例について説明するための状態遷移図である。
【図６】カートリッジメモリの変形例を示すブロック図である。
【図７】本開示の第２の実施形態に係る記録再生システムのモード切替動作の一例について説明するための状態遷移図である。
【発明を実施するための形態】
【００１３】
本開示の実施形態について以下の順序で説明する。
１  第１の実施形態（記録再生システム、カートリッジおよびカートリッジメモリの例）
２  第２の実施形態（記録再生システム、カートリッジおよびカートリッジメモリの例）
【００１４】
＜１  第１の実施形態＞
［記録再生システムの構成］
図１は、本開示の第１の実施形態に係る記録再生システム１００の構成の一例を示す。記録再生システム１００は、磁気テープ記録再生システムであり、磁気テープＭＴおよびカートリッジメモリ１１を有するカートリッジ１０と、カートリッジ１０をロードおよびアンロード可能に構成された記録再生装置２０とを備える。
【００１５】
記録再生装置２０にカートリッジ１０がロードされた状態における、記録再生装置２０とカートリッジメモリ１１との間のデータ転送は、通常速度通信モード（第１の通信モード）または高速通信モード（第２の通信モード）で行われる。
【００１６】
通常速度通信モードで用いられる電波の周波数は、例えば１３．５６ＭＨｚである。一方、高速通信モードで用いられる電波の周波数は、例えば１３．５６ＭＨｚより大きく、１３.５６×ｎ（ｎ：２以上の整数）であることが好ましい。
【００１７】
通常速度通信モードは、通常の通信速度（第１の通信速度）でデータを転送する通信モードである。高速通信モードは、通常の通信速度よりも速い高速の通信速度（第２の通信速度）でデータを転送する通信モードである。通常速度通信モードでは、誤り訂正符号が転送データに付加されないのに対して、高速通信モードでは、誤り訂正符号が転送データに付加される。転送データに付加される誤り訂正符号としては、例えば、ハミング符号、水平垂直パリティ符号、リードソロモン符号またはＢＣＨ符号等を用いることができるが、これらの符号に限定されるものではない。
【００１８】
［記録再生装置の構成］
記録再生装置２０は、いわゆる磁気テープドライブであり、通信部としてのリーダライタ２１と、記録再生部２２と、制御部としてのシステムコントローラ２３と、インタフェース２４とを備える。記録再生装置２０は、インタフェース２４を介して外部コンピュータ２００に対して接続されている。
【００１９】
リーダライタ２１は、規定の無線通信規格でカートリッジメモリ１１と通信を行う。ここで、規定の通信規格は、例えば、ＬＴＯ（Linear Tape-Open）規格でカートリッジメモリ１１用に定められている通信規格（以下「ＬＴＯ規定の通信規格」という。）である。
【００２０】
ＬＴＯ規格の通信規格は、ISO14443-2のTypeA方式（NXP）をベースにＬＴＯ用にカスタマイズされた近距離無線通信規格である。なお、ＬＴＯ規格は、ＬＴＯ１〜８のいずれの規格であってもよいし、今後策定が見込まれるＬＴＯ９以降の規格であってもよい。
【００２１】
記録再生部２２は、磁気テープＭＴを走行させるためのモータ（図示せず）、およびヘッドユニット（図示せず）等を備え、磁気テープＭＴに対するデータの記録および再生を行う。
【００２２】
インタフェース２４は、記録再生部２２および外部コンピュータ２００と接続されている。記録再生部２２によって磁気テープＭＴから読み出された信号は、インタフェース２４を介して外部コンピュータ２００に出力される。一方、記録再生部２２によって磁気テープＭＴに記録される信号は、インタフェース２４を介して外部コンピュータ２００から供給される。
【００２３】
インタフェース２４がリーダライタ２１と接続されていてもよい。この場合には、インタフェース２４と接続された外部コンピュータ２００からの操作入力により、リーダライタ２１の制御が行われる構成とすることができる。
【００２４】
システムコントローラ２３は、リーダライタ２１や記録再生部２２等の記録再生装置２０の各部を制御する。システムコントローラ２３は、図示しないＣＰＵ（Central Processing Unit）、ＲＯＭ（Read Only Memory）およびＲＡＭ（Random Access Memory）等を備える。
【００２５】
システムコントローラ２３は、インタフェース２４を介してカートリッジメモリ１１に通信モードの切替を要求する。具体的には、システムコントローラ２３は、インタフェース２４を介してカートリッジメモリ１１に高速通信モードで通信可能であるか否かを問い合わせる。問い合わせに対してカートリッジメモリ１１から高速通信モードで通信可能であるとの返答があった場合には、システムコントローラ２３は、カートリッジメモリ１１に通常速度通信モードから高速通信モードへのモード切替を要求し、その後のデータ転送を高速通信モードで行う。一方、問い合わせに対してカートリッジメモリ１１から返答がなかった場合には、もしくは問い合わせに対してカートリッジメモリ１１から高速通信モードで通信不可能であるとの返答があった場合には、システムコントローラ２３は、通常速度通信モードを維持する。
【００２６】
通常通信モードにおいてデータをカートリッジメモリ１１に送信する場合には、システムコントローラ２３は、外部コンピュータ２００からインタフェース２４を介して供給されたデータに誤り訂正符号を付加せずに、リーダライタ２１を介して通常の通信速度でデータを送信する。通常通信モードにおいてカートリッジメモリ１１からリーダライタ２１を介してデータを受け取った場合には、システムコントローラ２３は、受け取ったデータをインタフェース２４を介して外部コンピュータ２００に供給する。
【００２７】
高速通信モードにおいてデータをカートリッジメモリ１１に送信する場合には、システムコントローラ２３は、外部コンピュータ２００からインタフェース２４を介して供給されたデータに対して誤り訂正符号を生成し、供給されたデータに誤り訂正符号を付加し、リーダライタ２１を介して高速の通信速度でデータをカートリッジメモリ１１に送信する。なお、誤り訂正符号は、例えばブロック単位で付加される。高速通信モードにおいてカートリッジメモリ１１からリーダライタ２１を介して誤り訂正符号が付加されたデータを受け取った場合には、システムコントローラ２３は、データに付加された誤り訂正符号を用いて、受け取ったデータのエラー（符号誤り）を検出し、エラーが検出された場合にはそのエラーを訂正した後、インタフェース２４を介して外部コンピュータ２００に供給する。この際、システムコントローラ２３が、受け取ったデータに誤り訂正を行わず、誤り訂正符号が付加されたデータそのものを、外部コンピュータ２００に供給するようにしてもよい。
【００２８】
［カートリッジの構成］
図２は、カートリッジ１０の構成の一例を示す。カートリッジ１０は、ＬＴＯ規格に準拠した磁気テープカートリッジ（記録媒体カートリッジ）であり、下シェル１２Ａと上シェル１２Ｂとで構成されるカートリッジケース１２の内部に、磁気テープＭＴが巻かれたリール１３と、リール１３の回転をロックするためのリールロック１４およびリールスプリング１５と、リール１３のロック状態を解除するためのスパイダ１６と、下シェル１２Ａと上シェル１２Ｂに跨ってカートリッジケース１２に設けられたテープ引出口１２Ｃを開閉するスライドドア１７と、スライドドア１７をテープ引出口１２Ｃの閉位置に付勢するドアスプリング１８と、誤消去を防止するためのライトプロテクト１９と、カートリッジメモリ１１とを備える。リール１３は、中心部に開口を有する略円盤状であって、プラスチック等の硬質の材料からなるリールハブ１３Ａとフランジ１３Ｂとにより構成される。
【００２９】
カートリッジメモリ１１は、カートリッジ１０の１つの角部の近傍に設けられている。カートリッジ１０が記録再生装置２０にロードされた状態において、カートリッジメモリ１１は、記録再生装置２０のリーダライタ２１と対向するようになっている。カートリッジメモリ１１は、上述のように規定の無線通信規格で記録再生装置２０、具体的にはリーダライタ２１と通信を行う。
【００３０】
［磁気テープの構成］
図３は、磁気テープＭＴの構成の一例を示す。磁気テープＭＴは、いわゆる塗布型の磁気テープであって、長尺状の基体４１と、基体４１の一方の主面上に設けられた下地層４２と、下地層４２上に設けられた磁性層４３とを備える。なお、下地層４２は必要に応じて備えられるものであって、なくてもよい。磁気テープＭＴが、必要に応じて、基体４１の他方の主面上に設けられたバックコート層４４をさらに備えるようにしてもよい。
【００３１】
（基体）
支持体となる基体４１は、可撓性を有する長尺状の非磁性基体である。非磁性基体はフィルムであり、フィルムの厚さは、例えば３μｍ以上８μｍ以下である。基体４１の材料としては、例えば、ポリエチレンテレフタレート、ポリエチレンナフタレート等のポリエステル類、ポリエチレン、ポリプロピレン等のポリオレフィン類、セルローストリアセテート、セルロースダイアセテート、セルロースブチレート等のセルロース誘導体、ポリ塩化ビニル、ポリ塩化ビニリデン等のビニル系樹脂、ポリカーボネート、ポリアミド、ポリイミド、ポリアミドイミド等のプラスチック、アルミニウム合金、チタン合金等の軽金属、またはアルミナガラス等のセラミック等を用いることができる。
【００３２】
（磁性層）
磁性層４３は、信号を記録するための記録層である。磁性層４３は、垂直方向に磁気異方性を有していることが好ましい。すなわち、磁性層４３の磁化容易軸は、垂直方向に向いていることが好ましい。磁性層４３は、複数のサーボバンドと複数のデータバンドとを予め有していることが好ましい。複数のサーボバンドは、磁気テープＭＴの幅方向に等間隔で設けられている。隣り合うサーボバンドの間には、データバンドが設けられている。サーボバンドには、磁気ヘッドのトラッキング制御をするためのサーボ信号が予め書き込まれている。データバンドには、ユーザデータが記録される。
【００３３】
磁性層４３は、例えば、磁性粉および結着剤を含む。磁性層４３が、必要に応じて、潤滑剤、導電性粒子、研磨剤および防錆剤等のうちの少なくとも１種の添加剤をさらに含んでいてもよい。
【００３４】
磁性粉は、磁気テープＭＴの厚み方向（垂直方向）に配向されていることが好ましい。磁性粉は、例えば、ε酸化鉄粒子、Ｃｏ含有スピネルフェライト粒子または六方晶フェライト粒子（例えばバリウムフェライト粒子）等を含む。
【００３５】
結着剤としては、ポリウレタン系樹脂または塩化ビニル系樹脂等に架橋反応を付与した構造の樹脂が好ましい。しかしながら結着剤はこれらに限定されるものではなく、磁気テープＭＴに対して要求される物性等に応じて、その他の樹脂を適宜配合してもよい。配合する樹脂としては、通常、塗布型の磁気テープにおいて一般的に用いられる樹脂であれば、特に限定されない。
【００３６】
例えば、ポリ塩化ビニル、ポリ酢酸ビニル、塩化ビニル−酢酸ビニル共重合体、塩化ビニル−塩化ビニリデン共重合体、塩化ビニル−アクリロニトリル共重合体、アクリル酸エステル−アクリロニトリル共重合体、アクリル酸エステル−塩化ビニル−塩化ビニリデン共重合体、塩化ビニル−アクリロニトリル共重合体、アクリル酸エステル−アクリロニトリル共重合体、アクリル酸エステル−塩化ビニリデン共重合体、メタクリル酸エステル−塩化ビニリデン共重合体、メタクリル酸エステル−塩化ビニル共重合体、メタクリル酸エステル−エチレン共重合体、ポリ弗化ビニル、塩化ビニリデン−アクリロニトリル共重合体、アクリロニトリル−ブタジエン共重合体、ポリアミド樹脂、ポリビニルブチラール、セルロース誘導体（セルロースアセテートブチレート、セルロースダイアセテート、セルローストリアセテート、セルロースプロピオネート、ニトロセルロース）、スチレンブタジエン共重合体、ポリエステル樹脂、アミノ樹脂および合成ゴム等のうちの少なくとも１種を用いることができる。
【００３７】
磁性層４３の平均厚みは、好ましくは３０ｎｍ以上１２０ｎｍ以下、より好ましくは５０ｎｍ以上７０ｎｍ以下である。磁性層４３の平均厚みは、断面ＴＥＭ（Transmission Electron Microscope）像から磁気テープＭＴの長手方向に少なくとも１０点以上の位置で磁性層４３の厚みを測定した後、それらの測定値を単純に平均（算術平均）することことにより求められる。
【００３８】
（下地層）
下地層４２は、基体４１の表面の凹凸を緩和し、磁性層４３の表面の凹凸を調整するためのものである。下地層４２は、非磁性粉および結着剤を含む非磁性層である。下地層４２が、必要に応じて、潤滑剤、帯電防止剤、硬化剤および防錆剤等のうちの少なくとも１種の添加剤をさらに含んでいてもよい。
【００３９】
非磁性粉は、無機物質でも有機物質でもよい。また、非磁性粉は、カーボンブラック等でもよい。無機物質としては、例えば、金属、金属酸化物、金属炭酸塩、金属硫酸塩、金属窒化物、金属炭化物および金属硫化物等のうちの少なくとも１種を用いることができる。非磁性粉の形状としては、例えば、針状、球状、立方体状または板状等の各種形状が挙げられるが、これらの形状に限定されるものではない。結着剤は、上述の磁性層４３と同様である。
【００４０】
下地層４２の平均厚みは、好ましくは０．５μｍ以上２．０μｍ以下、より好ましくは０．６μｍ以上１．４μｍ以下である。下地層４２の平均厚みは、磁性層４３の平均厚みと同様にして求められる。
【００４１】
［カートリッジメモリの構成］
図４は、カートリッジ１０に用いられるカートリッジメモリ１１の構成の一例を示す。カートリッジメモリ１１は、規定の通信規格でリーダライタ２１と通信を行うアンテナコイル（アンテナ部）３１と、アンテナコイル３１により受信した電波から、誘導起電力を用いて発電、整流して電源を生成する整流・電源回路３２と、アンテナコイル３１により受信した電波から、同じく誘導起電力を用いてクロックを生成するクロック回路３３と、アンテナコイル３１により受信した電波の検波およびアンテナコイル３１により送信する信号の変調を行う検波・変調回路３４と、検波・変調回路３４から抽出されるデジタル信号から、コマンドおよびデータを判別し、これを処理するための論理回路等で構成されるコントローラ（制御部）３５と、データを記憶するメモリ３６とを備える。
【００４２】
また、カートリッジメモリ１１は、アンテナコイル３１に対して並列に接続されたキャパシタ３７を備え、アンテナコイル３１とキャパシタ３７により共振回路が構成される。アンテナコイル３１のインダクタンスＬとキャパシタ３７のキャパシタンスＣで決まる共振周波数ｆ（＝１／２π√ＬＣ）をリーダライタ２１から送られる電波の周波数（例えば通常速度通信モードでは１３．５６ＭＨｚ、高速通信モードでは１３.５６×ｎ（ｎ：２以上の整数））に合わせることにより、高い誘起電圧を得ることができる。
【００４３】
メモリ３６は、カートリッジ１０に関連するデータを記憶する。メモリ３６は、不揮発性メモリ（Non Volatile Memory：ＮＶＭ）である。メモリ３６の記憶容量は、好ましくは約１６ＫＢ以上、より好ましくは約３２ＫＢ以上である。例えばカートリッジ１０がＬＴＯ−６規格、ＬＴＯ−７規格またはＬＴＯ−８規格に準拠したものである場合には、メモリ３６は、約１６ＫＢの記憶容量を有する。ＬＴＯ−９規格またはＬＴＯ−１０規格に準拠したものである場合には、メモリ３６は、約３２ＫＢの記憶容量を有する。
【００４４】
メモリ３６は、第１の記憶領域３６Ａと第２の記憶領域３６Ｂとを有するようにしてもよい。第１の記憶領域３６Ａは、ＬＴＯ規格に準拠したデータ（すなわち一般的なカートリッジメモリのデータ）が記憶される領域であり、ＬＴＯ規格に準拠した一般的なカートリッジメモリの記憶領域に対応する。ＬＴＯ規格に準拠したデータは、例えば製造情報（例えばカートリッジ１０の固有番号等）、使用履歴（例えばテープ引出回数（Thread Count）等）等である。
【００４５】
第２の記憶領域３６Ｂは、一般的なカートリッジメモリの記憶領域に対する拡張記憶領域に相当する。第２の記憶領域３６Ｂには、付加データが記憶される。ここで、付加データとは、ＬＴＯ規格で規定されていない、カートリッジ１０に関連するデータを意味する。付加データの例としては、第１の記憶領域３６Ａに記憶されたデータに関連する誤り訂正符号、管理台帳データ、Index情報、または磁気テープＭＴに記憶された動画のサムネイル情報等が挙げられるが、これらのデータに限定されるものではない。
【００４６】
メモリ３６は、複数のバンクを有していてもよい。この場合、複数のバンクうちの一部のバンクにより第１の記憶領域３６Ａが構成され、残りのバンクにより第２の記憶領域３６Ｂが構成されてもよい。具体的には例えば、カートリッジ１０がＬＴＯ−８規格に準拠したものである場合には、各バンクは１６ＫＢの記憶容量を有し、複数のバンクのうちの１つのバンクにより第１の記憶領域３６Ａが構成され、残りのバンクにより第２の記憶領域３６Ｂが構成されてもよい。
【００４７】
アンテナコイル３１は、電磁誘導により誘起電圧を誘起する。コントローラ３５は、アンテナコイル３１を介して、規定の通信規格で記録再生装置２０と通信を行う。具体的には例えば、相互認証、コマンドの送受信またはデータのやり取りなどを行う。
【００４８】
コントローラ３５は、通常速度通信モードと高速通信モードとを有し、記録再生装置２０の要求に応じて、これらの通信モードを切り替える。コントローラ３５は、記録再生装置２０から高速通信モードで通信可能であるか否かの問い合わせがあった場合には、高速通信モードで通信可能であることを記録再生装置２０に返答する。
【００４９】
通常通信モードにおいて、記録再生装置２０からデータを受け取った場合には、コントローラ３５は、受け取ったデータをメモリ３６に記憶する。通常通信モードにおいて、記録再生装置２０からデータ送信の要求があった場合には、コントローラ３５は、要求に応じたデータをメモリ３６から読み出し、誤り訂正符号を付加せずにアンテナコイル３１を介して記録再生装置２０に通常の通信速度で送信する。
【００５０】
高速通信モードにおいて、記録再生装置２０から誤り訂正符号が付加されたデータを受け取った場合には、コントローラ３５は、データに付加された誤り訂正符号を用いて、受け取ったデータのエラー（符号誤り）を検出し、エラーが検出された場合にはそのエラーを訂正した後、メモリ３６に記憶する。高速通信モードにおいて、記録再生装置２０からデータ送信の要求があった場合には、コントローラ３５は、要求に応じたデータをメモリ３６から読み出すと共に、読み出したデータに対する誤り訂正符号を生成し、読み出したデータに対して、生成した誤り訂正符号を付加してアンテナコイル３１を介して記録再生装置２０に高速の通信速度で送信する。なお、誤り訂正符号は、例えばブロック単位で付加される。
【００５１】
［通信モードの切替動作］
以下、図５を参照して、記録再生システム１００のモード切替動作の一例について説明する。なお、以下の説明においてカートリッジメモリ１１、記録再生装置２０の動作はそれぞれ、コントローラ３５、システムコントローラ２３により実行されるものである。
【００５２】
まず、カートリッジメモリ１１と記録再生装置２０とのリンクが確立されると（ステップＳ１）、カートリッジメモリ１１は、通信モードを通常速度通信モードに設定する（ステップＳ２）。その後、記録再生装置２０からカートリッジメモリ１１に高速通信モードで通信可能である否かの問い合わせがなされると（ステップＳ３）、カートリッジメモリ１１は、高速通信モードで通信が可能であるか否かを記録再生装置２０に返答する（ステップＳ４）。
【００５３】
カートリッジメモリ１１から記録再生装置２０に高速通信モードで通信不可能であるとの返答があった場合には、もしくはカートリッジメモリ１１から記録再生装置２０に高速通信モードで通信が可能であるか否かの返答がなかった場合には、記録再生装置２０は、通常通信モードを維持する。一方、カートリッジメモリ１１から記録再生装置２０に高速通信モードで通信可能であるとの返答があった場合には、記録再生装置２０は、通常通信モードから高速通信モードへの通信モードの切替をカートリッジメモリ１１に要求する（ステップＳ５）。この要求を受けたカートリッジメモリ１１は、通常通信モードから高速通信モードに通信モードを切り替える（ステップＳ６）。これにより、カートリッジメモリ１１と記録再生装置２０との間の以降の通信は、高速通信で行われる（ステップＳ７）。なお、高速通信モードでは、カートリッジメモリ１１と記録再生装置２０の間でやり取りされるデータには、誤り訂正符号が付加される。
【００５４】
［効果］
第１の実施形態に係る記録再生システム１００では、記録再生装置２０とカートリッジメモリ１１との間のデータ転送は、通常速度通信モードまたは高速通信モードで行われる。通常速度通信モードでは、誤り訂正符号が転送データに付加されないのに対して、高速通信モードでは、誤り訂正符号が転送データに付加される。したがって、高速通信におけるノイズ耐性（エラー耐性）を向上し、データの健全性の低下を抑制することができる。
【００５５】
一般的なドライブシステムにおいては、ドライブのモータ駆動時に発生するノイズの影響により、転送データにエラー（符号誤り）が発生する可能性がある。このため、一般的には、テープカートリッジのローディング後におけるデータ転送は、モータが駆動される前に行われる。また、テープカートリッジのアンローディング前におけるデータ転送は、モータの駆動が停止された後に行われる。したがって、ローディングおよびアンローディング時におけるカートリッジの取り扱いに待ち時間が発生する。近年では、カートリッジメモリとドライブ間でやり取りされるデータ量も増加する傾向にあり、ローディングおよびアンローディング時におけるカートリッジの取り扱い待ち時間が長くなり傾向にある。第１の実施形態に係る記録再生システム１００では、ローディングおよびアンローディング時において、高速通信モードでデータを転送することが可能であるため、ローディングおよびアンローディング時におけるカートリッジ１０の取り扱いに待ち時間を短縮することができる。
【００５６】
［変形例］
（変形例１）
高速通信モードにおいて、コントローラ３５が以下のように動作するようにしてもよい。高速通信モードにおいて記録再生装置２０から誤り訂正符号が付加されたデータを受け取った場合には、コントローラ３５は、受け取ったデータと、このデータに付加されていた誤り訂正符号とを関連付けてメモリ３６に記憶する。この際、記憶するデータに対してエラー訂正の処理を行ってもよいし、行わなくてもよい。
【００５７】
高速通信モードにおいて記録再生装置２０からデータ送信の要求を受けた場合には、コントローラ３５は、データ送信が要求されたデータに関連付けられて誤り訂正符号が記憶されているか否かを判別する。誤り訂正符号が関連付けて記憶されていると判別された場合には、コントローラ３５は、データ送信が要求されたデータと共に、このデータに関連付けられた誤り訂正符号をメモリ３６から読み出し、読み出したデータに対して誤り訂正符号を付加して記録再生装置２０に高速の通信速度で送信する。一方、誤り訂正符号が関連付けて記憶されていないと判別された場合には、コントローラ３５は、データ送信が要求されたデータをメモリ３６から読み出すと共に、読み出したデータに対する誤り訂正符号を生成し、読み出したデータに対して生成した誤り訂正符号を付加して記録再生装置２０に高速の通信速度で送信する。
【００５８】
コントローラ３５が上述のように動作することで、データ送信が要求されたデータと共に、誤り訂正符号がメモリ３６に記憶されている場合には、コントローラ３５は誤り訂正符号を生成する処理を行わずに済むため、カートリッジメモリ１１の処理を軽減することができる。なお、上述の例において、カートリッジメモリ１１に予め記憶されているデータにも、誤り訂正符号が関連付けられて記憶されていてもよい。
【００５９】
（変形例２）
通常通信モードおよび高速通信モードに関わらず、記録再生装置２０とカートリッジメモリ１１との間で転送されるデータ全てに、誤り訂正符号を付加するようにしてもよい。
【００６０】
（変形例３）
リーダライタ２１およびカートリッジメモリ１１が、送信データに誤り訂正符号を付加する処理に代えて、図６に示すように、受信したデータのノイズを低減するフィルタ３８を備えるようにしてもよい。この場合にも、受信データのＳ／Ｎを改善し、ノイズ耐性を向上することができる。したがって、パルス制御により駆動中のモータ等から発せられるノイズの影響の低減することができる。
【００６１】
リーダライタ２１およびカートリッジメモリ１１が、送信データに誤り訂正符号を付加する処理と共に、上記フィルタ３８をさらに備えるようにしてもよい。この場合、データの不要信号成分をさらに低減できるので、ノイズ耐性をさらに向上することができる。
【００６２】
フィルタ３８としては、パルス制御により駆動中のモータから発せられるノイズを低減可能なものが好ましい。このようなノイズを低減可能なフィルタ３８としては、１０ＭＨｚ以下の周波数帯域をカットするものが好ましい。なお、システムコントローラ２３およびコントローラ３５が、上述のフィルタ３８に相当するフィルタ処理を行うようにしてもよい。
【００６３】
（変形例４）
カートリッジメモリ１１において、データが多重化されていてもよい。より具体的には、カートリッジメモリ１１が複数のメモリ３６を備え、複数のメモリ３６それぞれに同一のデータを記憶するようにしてもよい。もしくは、カートリッジメモリ１１が、複数のデータ記憶領域を有し、複数のデータ記憶領域それぞれに同一のデータを記憶するようにしてもよい。このようにデータが多重化されていることで、コントローラ３５が、カートリッジメモリ１１内のデータで欠落したデータを検出訂正することができる。また、データが多重化されていることにより、記憶データの耐久性の向上も実現することができる。
【００６４】
（変形例５）
カートリッジメモリ１１がメモリ３６に容量指定領域を有し、記録再生装置２０からは記憶領域として上記の容量指定領域のみが見えるように、アクセス可能な記憶領域を制限するようにしてもよい。例えば、カートリッジメモリ１１が記憶容量３２ＫＢのメモリ３６を有する場合には、制御ビットにより、記録再生装置２０からは４ＫＢ、８ＫＢ、１６ＫＢまたは３２ＫＢの容量指定領域が見えるようにアクセス可能な記録領域を制限するようにしてもよい。
【００６５】
（その他の変形例）
カートリッジメモリ１１が、メモリ３６に記憶されたデータのエラー検出、訂正および補正を行う機能を有していてもよい。
【００６６】
カートリッジメモリ１１内や通信におけるデータの冗長性を利用して、欠落データを予測した誤り補正を可能とするようにしてもよい。
【００６７】
上述の第１の実施形態では、記録再生装置が磁気テープドライブである場合について説明したが、記録再生装置が磁気テープオートローダまたは磁気テープライブラリ装置であってもよい。
【００６８】
上述の第１の実施形態では、記録再生システムが磁気テープ記録再生システムである場合について説明したが、記録再生システムが光ディスク記録再生システムであってもよい。すなわち、カートリッジメモリ、記録再生装置がそれぞれ、光ディスクカートリッジ、光ディスク記録再生装置であってもよい。
【００６９】
上述の第１の実施形態ではドライブに本開示を適用した例について説明したが、本開示はこれに限定されるものではない。例えば、サーボ信号書き込み機、磁気テープをカートリッジに組み込む組み込み機、およびカートリッジの状態を検査する検査装置に本開示を適用してもよい。
【００７０】
＜２  第２の実施形態＞
第２の実施形態においては、記録再生装置２０にカートリッジ１０がロードされ、記録再生装置２０のモータが駆動されていない状態においては、記録再生装置２０とカートリッジメモリ１１との間のデータ転送はモータ非駆動時通信モード（第３の通信モード）で行われる。一方、記録再生装置２０にカートリッジ１０がロードされ、記録再生装置２０のモータが駆動されている状態においては、記録再生装置２０とカートリッジメモリ１１との間のデータ転送はモータ駆動時通信モード（第４の通信モード）で行われる。モータ非駆動時通信モードでは、誤り訂正符号が転送データに付加されないのに対して、モータ駆動時通信モードでは、誤り訂正符号が転送データに付加される。
【００７１】
システムコントローラ２３は、カートリッジメモリ１１に通信モードの切替を要求する。具体的には、システムコントローラ２３は、カートリッジメモリ１１にモータ駆動時通信モードで通信可能であるか否かを問い合わせる。問い合わせに対してカートリッジメモリ１１からモータ駆動時通信モードで通信可能であるとの返答があった場合には、システムコントローラ２３は、モータ非駆動時通信モードからモータ駆動時通信モードへのモード切替をカートリッジメモリ１１に要求し、モータの駆動後のデータ転送をモータ駆動時通信モードで行う。一方、問い合わせに対してカートリッジメモリ１１からモータ駆動時通信モードで通信不可能であるとの返答があった場合には、もしくは問い合わせに対してカートリッジメモリ１１から問い合わせに対する回答がなかった場合には、システムコントローラ２３は、モータ非駆動時通信モードを維持する。
【００７２】
システムコントローラ２３は、モータの駆動を停止した場合には、モータ駆動時通信モードからモータ非駆動時通信モードへのモード切替をカートリッジメモリ１１に要求し、モータの駆動停止後におけるデータ転送をモータ非駆動時通信モードで行う。
【００７３】
モータ非駆動時通信モードにおいて、データをカートリッジメモリ１１に送信する場合には、システムコントローラ２３は、外部コンピュータ２００からインタフェース２４を介して供給されたデータに誤り訂正符号を付加せずに、リーダライタ２１を介してデータを送信する。モータ非駆動時通信モードにおいて、カートリッジメモリ１１からリーダライタ２１を介してデータを受け取った場合には、システムコントローラ２３は、受け取ったデータをインタフェース２４を介して外部コンピュータ２００に供給する。
【００７４】
モータ駆動時通信モードにおいて、データをカートリッジメモリ１１に送信する場合には、システムコントローラ２３は、外部コンピュータ２００からインタフェース２４を介して供給されたデータに対して誤り訂正符号を生成し、供給されたデータに誤り訂正符号を付加し、リーダライタ２１を介してデータを送信する。モータ駆動時通信モードにおいて、カートリッジメモリ１１からリーダライタ２１を介して誤り訂正符号が付加されたデータを受け取った場合には、システムコントローラ２３は、データに付加された誤り訂正符号を用いて、受け取ったデータのエラー（符号誤り）を検出し、エラーが検出された場合にはそのエラーを訂正した後、インタフェース２４を介して外部コンピュータ２００に供給する。この際、システムコントローラ２３が、受け取ったデータに誤り訂正を行わず、誤り訂正符号が付加されたデータそのものを、外部コンピュータ２００に供給するようにしてもよい。
【００７５】
コントローラ３５は、モータ非駆動時通信モードとモータ駆動時通信モードとを有し、記録再生装置２０の要求に応じて、これらの通信モードを切り替える。コントローラ３５は、記録再生装置２０からモータ駆動時通信モードで通信可能であるか否かの問い合わせがあった場合には、モータ駆動時通信モードで通信可能であることを記録再生装置２０に返答する。
【００７６】
モータ非駆動時通信モードにおいて、記録再生装置２０からデータを受け取った場合には、コントローラ３５は、受け取ったデータをメモリ３６に記憶する。モータ非駆動時通信モードにおいて、記録再生装置２０からデータ送信の要求があった場合には、コントローラ３５は、要求に応じたデータをメモリ３６から読み出し、誤り訂正符号を付加せずに記録再生装置２０に送信する。
【００７７】
モータ駆動時通信モードにおいて、記録再生装置２０から誤り訂正符号が付加されたデータを受け取った場合には、コントローラ３５は、データに付加された誤り訂正符号を用いて、受け取ったデータのエラー（符号誤り）を検出し、エラーが検出された場合にはそのエラーを訂正した後、メモリ３６に記憶する。モータ駆動時通信モードにおいて、記録再生装置２０からデータ送信の要求があった場合には、コントローラ３５は、要求に応じたデータをメモリ３６から読み出すと共に、読み出したデータに対する誤り訂正符号を生成し、読み出したデータに対して、生成した誤り訂正符号を付加してアンテナコイル３１を介して記録再生装置２０に送信する。
【００７８】
［通信モードの切替動作］
以下、図７を参照して、記録再生システム１００の通信モードの切替動作の一例について説明する。なお、以下の説明においてカートリッジメモリ１１、記録再生装置２０の動作はそれぞれ、コントローラ３５、システムコントローラ２３により実行されるものである。
【００７９】
まず、カートリッジメモリ１１と記録再生装置２０とのリンクが確立されると（ステップＳ１１）、カートリッジメモリ１１は、通信モードをモータ非駆動時通信モードに設定する（ステップＳ１２）。その後、記録再生装置２０がモータを駆動しない状態においては、カートリッジメモリ１１と記録再生装置２０の間でのデータのやり取りは、データに誤り訂正符号が付加されない状態で行われる（ステップＳ１３）。
【００８０】
上記データのやり取り後、または上記データのやり取りと並行して、記録再生装置２０からカートリッジメモリ１１にモータ駆動時通信モードで通信可能である否かかの問い合わせがなされると（ステップＳ１４）、カートリッジメモリ１１は、モータ駆動時通信モードで通信可能であるか否かを記録再生装置２０に返答する（ステップＳ１５）。
【００８１】
カートリッジメモリ１１から記録再生装置２０にモータ駆動時通信モードで通信不可能であるとの返答があった場合、もしくはカートリッジメモリ１１から記録再生装置２０にモータ駆動時通信モードで通信が可能であるか否かの返答がなかった場合には、記録再生装置２０は、モータ非駆動時通信モードを維持する。一方、カートリッジメモリ１１から記録再生装置２０にモータ駆動時通信モードで通信可能であるとの返答があった場合には、記録再生装置２０は、モータ非駆動時通信モードからモータ駆動時通信モードへの通信モードの切替を記録再生装置２０に要求すると共に（ステップＳ１６）、モータを駆動する（ステップＳ１７）。上記の要求を受けたカートリッジメモリ１１は、モータ非駆動時通信モードからモータ駆動時通信モードに通信モードを切り替える（ステップＳ１８）。これにより、カートリッジメモリ１１と記録再生装置２０との間の以降のデータのやり取りは、誤り訂正符号が付加された状態で行われる（ステップＳ１９）。
【００８２】
［効果］
第２の実施形態に係る記録再生システム１００では、記録再生装置２０のモータが駆動されていない状態においては、記録再生装置２０とカートリッジメモリ１１との間のデータ転送はモータ非駆動時通信モードで行われる。一方、記録再生装置２０のモータが駆動されている状態においては、記録再生装置２０とカートリッジメモリ１１との間のデータ転送はモータ駆動時通信モードで行われる。モータ非駆動時通信モードでは、誤り訂正符号が転送データに付加されないのに対して、モータ駆動時通信モードでは、誤り訂正符号が転送データに付加される。したがって、モータ駆動時においても、安定したデータ転送が可能となり、磁気テープＭＴの巻き取り時間中においても、カートリッジメモリ１１に対するデータの書き込み、およびカートリッジメモリ１１からのデータの読み出しが可能となる。よって、ローディングおよびアンローディング時におけるカートリッジの取り扱いに待ち時間を短縮することができる。
【００８３】
［変形例］
モータ駆動時通信モードにおいて、コントローラ３５が、第１の実施形態の変形例１と同様の動作を行うようにしてもよい。
モータ非駆動時通信モードおよびモータ駆動時通信モードに関わらず、記録再生装置２０とカートリッジメモリ１１との間で転送されるデータ全てに、誤り訂正符号を付加するようにしてもよい。
第１の実施形態における通信モードと、第２の実施形態における通信モードとを組み合わせるようにしてもよい。
【００８４】
以上、本開示の第１、第２の実施形態およびそれらの変形例について具体的に説明したが、本開示は、上述の第１、第２の実施形態およびそれらの変形例に限定されるものではなく、本開示の技術的思想に基づく各種の変形が可能である。
【００８５】
例えば、上述の第１、第２の実施形態およびそれらの変形例において挙げた構成、方法、工程、形状、材料および数値等はあくまでも例に過ぎず、必要に応じてこれと異なる構成、方法、工程、形状、材料および数値等を用いてもよい。
【００８６】
また、上述の第１、第２の実施形態およびそれらの変形例の構成、方法、工程、形状、材料および数値等は、本開示の主旨を逸脱しない限り、互いに組み合わせることが可能である。
【００８７】
また、本開示は以下の構成を採用することもできる。
（１）
磁気テープカートリッジに用いられるカートリッジメモリであって、
アンテナ部と、
データを記憶する記憶部と、
記録再生装置の要求に応じて、前記記憶部から前記データを読み出し、誤り訂正符号を付加して前記アンテナ部を介して送信する制御部と
を備えるカートリッジメモリ。
（２）
前記制御部は、
前記記録再生装置のモータが駆動されている場合には、前記データに前記誤り訂正符号を付加して前記アンテナ部を介して送信し、
前記記録再生装置のモータが駆動されていない場合には、前記データに前記誤り訂正符号を付加せずに前記アンテナ部を介して送信する（１）に記載のカートリッジメモリ。
（３）
前記制御部は、
第１の通信速度で前記データを送信する第１の通信モードと、
前記第１の通信速度よりも速い第２の通信速度で前記データを送信する第２の通信モードと
を有し、
前記第１の通信モードでは、前記データに前記誤り訂正符号を付加せずに送信し、
前記第２の通信モードでは、前記データに前記誤り訂正符号を付加して送信する（１）または（２）に記載のカートリッジメモリ。
（４）
前記アンテナ部を介して受信したデータのノイズを低減するフィルタをさらに備える（１）から（３）のいずれかに記載のカートリッジメモリ。
（５）
前記記憶部は、同一の前記データを複数記憶している（１）から（４）のいずれかに記載のカートリッジメモリ。
（６）
前記記憶部は、前記データと共に前記誤り訂正符号をさらに記憶し、
前記制御部は、前記記憶部から前記データおよび前記誤り訂正符号を読み出し、読み出した前記データに対して、読み出した前記誤り訂正符号を付加して前記アンテナ部を介して送信する（１）から（５）のいずれかに記載のカートリッジメモリ。
（７）
（１）から（６）のいずれかに記載された前記カートリッジメモリを備える磁気テープカートリッジ。
（８）
（１）から（６）のいずれかに記載された前記カートリッジメモリを備える磁気テープカートリッジと、
前記磁気テープカートリッジの記録再生を行う記録再生装置と
を備える記録再生システム。
（９）
前記記録再生装置は、ドライブ、オートローダまたはライブラリ装置である（８）に記載の記録再生システム。
（１０）
前記記録再生装置は、
リーダライタと、
データに誤り訂正符号を付加して前記カートリッジメモリに前記リーダライタを介して送信する制御部と
を備える（８）または（９）に記載の記録再生システム。
（１１）
磁気テープカートリッジに用いられるカートリッジメモリの制御方法であって、
記録再生装置の要求に応じて、記憶部からデータを読み出し、誤り訂正符号を付加してアンテナ部を介して送信すること
を含むカートリッジメモリの制御方法。
（１２）
記録媒体カートリッジに用いられるカートリッジメモリであって、
アンテナ部と、
データを記憶する記憶部と、
記録再生装置の要求に応じて、前記記憶部から前記データを読み出し、誤り訂正符号を付加して前記アンテナ部を介して送信する制御部と
を備えるカートリッジメモリ。
【符号の説明】
【００８８】
１０    カートリッジ
１１    カートリッジメモリ
１２    カートリッジケース
１２Ａ    下シェル１２Ａ
１２Ｂ    上シェル１２Ｂ
１２Ｃ    引出口
１３    リール
１３Ａ    リールハブ
１３Ｂ    フランジ
１４    リールロック
１５    リールスプリング
１６    スパイダ
１７    スライドドア
１８    ドアスプリング
１９    ライトプロテクト
２０    記録再生装置
２１    リーダライタ
２２    記録再生部
２３    システムコントローラ
２４    インタフェース
３１    アンテナコイル
３２    整流・電源回路
３３    クロック回路
３４    検波・変調回路
３５    コントローラ
３６    メモリ
３７    キャパシタ
３８    フィルタ
４１    基体
４２    下地層
４３    磁性層
４４    バックコート層
１００    記録再生システム
２００    外部コンピュータ
ＭＴ    磁気テープ
【図１】
2020085328.tif 000003
【図２】
2020085328.tif 000004
【図３】
2020085328.tif 000005
【図４】
2020085328.tif 000006
【図５】
2020085328.tif 000007
【図６】
2020085328.tif 000008
【図７】
2020085328.tif 000009
【国際調査報告】
2020085328.tif 000010
2020085328.tif 000011
2020085328.tif 000012
2020085328.tif 000013